(57)【要約】      （修正有）【課題】消耗品において、純正品の識別精度を高める。【解決手段】消耗品の一例であるインクカートリッジ１００は、印刷装置１に装着されるインクカートリッジであって、表示部１２３と、この１２３の表示制御を行うマイコン１２２とを備える。このマイコンは、印刷装置１によるインクカートリッジの認証が行われるときに認証用の表示画像を表示部１２３に表示させる。【選択図】図１
2020166561.tif 000002
【特許請求の範囲】
【請求項１】
印刷装置に装着される消耗品であって、
表示部と、
前記表示部の表示制御を行う表示制御部とを備え、
前記表示制御部は、前記印刷装置による前記消耗品の認証が行われるときに認証用画像を前記表示部に表示させる
ことを特徴とする消耗品。
【請求項２】
前記表示部は、電子ペーパーである
ことを特徴とする請求項１記載の消耗品。
【請求項３】
前記表示制御部は、前記認証用画像とユーザ向け画像とを含む複数の画像のうちの少なくとも１つの画像を選択的に前記表示部に表示させる
ことを特徴とする請求項１又は２記載の消耗品。
【請求項４】
前記ユーザ向け画像は、前記消耗品の課金情報用画像を含む
ことを特徴とする請求項３記載の消耗品。
【発明の詳細な説明】
【技術分野】
【０００１】
本発明は、印刷装置に装着される消耗品に関する。
【背景技術】
【０００２】
印刷装置には、印刷方式に応じて、インクカートリッジ、トナーカートリッジ、感光体ドラム、孔版原紙などの消耗品が装着される。
【０００３】
例えば、インクジェット印刷装置には、消耗品として、色ごとにインクが貯留された複数のインクカートリッジが着脱可能に装着される。インクジェット印刷装置では、インクカートリッジからインクジェットヘッドへインクが供給され、インクジェットヘッドのノズルからインクが印刷用紙に向けて吐出されることにより画像や文字などの印刷が行われる。
【０００４】
不適切なインクカートリッジがインクジェット印刷装置に装着されて使用されると、例えば、インクが凝集し、凝集したインクがノズルを閉塞させ吐出不良が発生したり、用紙に着弾したインクがにじみ、画像のエッジ不良などが発生したりする。これらの不具合は、印刷画像の品質低下の原因となっていた。また、インクが凝集すると装置内の各機器に過剰な負荷がかかり、装置故障の原因となる場合もある。
【０００５】
そこで、消耗品のメモリの記憶情報に加えて、消耗品を撮像することにより得られる画像情報も用いて、消耗品の許可認証を行う認証装置が提案されている（例えば、特許文献１参照）。
【先行技術文献】
【特許文献】
【０００６】
【特許文献１】特開２０１７−６８４２５号公報
【発明の概要】
【発明が解決しようとする課題】
【０００７】
しかしながら、上述のように消耗品を撮像することにより得られる画像情報を用いて認証を行う場合、消耗品の撮像される部分を模倣することが可能であるため、純正品の識別精度が低くなる。
【０００８】
このように純正品の識別精度が低いと、消耗品が非純正品であることをユーザに報知できず、不適切な消耗品が使用されることがある。このような不適切な消耗品の使用は、印刷画像品質の低下や印刷装置の故障の原因となる。
【０００９】
本発明の目的は、純正品の識別精度を高めることができる消耗品を提供することである。
【課題を解決するための手段】
【００１０】
１つの態様では、消耗品は、印刷装置に装着される消耗品であって、表示部と、前記表示部の表示制御を行う表示制御部とを備え、前記表示制御部は、前記印刷装置による前記消耗品の認証が行われるときに認証用画像を前記表示部に表示させる。
【発明の効果】
【００１１】
前記態様によれば、純正品の識別精度を高めることができる。
【図面の簡単な説明】
【００１２】
【図１】実施の形態におけるインクカートリッジ及び印刷装置を説明するための説明図である。
【図２】実施の形態におけるインクカートリッジを示す斜視図である。
【図３Ａ】実施の形態における制御モジュールを示す正面図である。
【図３Ｂ】実施の形態における制御モジュールを示す右側面図である。
【図４】変形例におけるインクカートリッジを示す斜視図である。
【図５】変形例におけるインクカートリッジを図４のＶ方向から見た図である。
【図６Ａ】実施の形態における表示部の表示画像の一例を示す図（その１）である。
【図６Ｂ】実施の形態における表示部の表示画像の一例を示す図（その２）である。
【図６Ｃ】実施の形態における表示部の表示画像の一例を示す図（その３）である。
【図６Ｄ】実施の形態における表示部の表示画像の一例を示す図（その４）である。
【図７】実施の形態における課金情報用画像を用いたアクティベーションを説明するための説明図である。
【発明を実施するための形態】
【００１３】
以下、本発明の実施の形態に係る消耗品について、図面を参照しながら説明する。
本実施の形態では、Ｋ（ブラック）、Ｃ（シアン）、Ｍ（マゼンタ）、Ｙ（イエロー）のインクに対応するインクカートリッジ１００Ｋ，１００Ｃ，１００Ｍ，１００Ｙは、印刷装置１に装着される消耗品の一例である。なお、インクカートリッジ１００Ｋ，１００Ｃ，１００Ｍ，１００Ｙは、適宜、インクカートリッジ１００と記す。
【００１４】
図１は、インクカートリッジ１００及び印刷装置１を説明するための説明図である。
図１に示すように、印刷装置１は、制御部１０と、記憶部２０と、撮像通信モジュール３０と、表示部４０と、インターフェース部５０とを備え、インクカートリッジ１００Ｋ，１００Ｃ，１００Ｍ，１００Ｙのそれぞれが純正品か否かの認証を行う。なお、インクカートリッジ１００Ｋ、１００Ｃ，１００Ｍ，１００Ｙのそれぞれは、収容するインクの色を除いて同一の構成を有する。そのため、インクカートリッジ１００Ｋを例に説明する。
【００１５】
制御部１０は、例えば、印刷装置１全体の動作を制御する演算処理装置として機能するプロセッサ（例えばＣＰＵ： Central Processing Unit）を有する。このプロセッサは、記憶部２０から所定のプログラムを読み出して実行することにより、第１照合部１１、画像照合部１２、パスワード生成部１３、認証部１４、及び表示制御部１５として機能する。
【００１６】
第１照合部１１は、インクカートリッジ１００Ｋに記憶されたＩＤに基づいてパスワード生成部１３により生成された第１パスワード（第１の照合情報の一例）と、ＩＤに基づいて生成されインクカートリッジ１００Ｋのメモリ１２１ａに記憶されている第２パスワード（第２の照合情報の一例）とを照合する。ここで、インクカートリッジ１００Ｋが純正品である場合には、第１パスワードと第２パスワードとは、いずれも共通のＩＤに基づいて、共通の第１アルゴリズムを用いて生成されるため、一致することになる。
【００１７】
画像照合部１２は、撮像部３２Ｋ，３２Ｃ，３２Ｍ，３２Ｙにより撮像されたインクカートリッジ１００の表示部１２３の認証用画像の一例である表示画像（例えば、図３Ａに示す２次元コード画像である表示画像ＩＭ１）の画像情報に基づいてパスワード生成部１３により生成された画像パスワード（第３の照合情報の一例）と、表示部１２３の表示画像の画像情報に基づいて生成され、メモリ１２１ａに記憶されている画像パスワード（第４の照合情報の一例）とを照合する。
【００１８】
パスワード生成部１３は、無線通信部３１により読み込まれたＩＤに基づいて、記憶部２０に記憶された第１アルゴリズムを用いて上記第１パスワードを生成する。また、パスワード生成部１３は、撮像部３２Ｋ，３２Ｃ，３２Ｍ，３２Ｙより取得された画像情報（第３の照合情報の一例）に基づいて上記画像パスワードを生成する。
【００１９】
認証部１４は、第１照合部１１と画像照合部１２との照合結果がいずれも一致すると判定された場合に、インクカートリッジ１００Ｋを純正品と認証するとよい。
【００２０】
表示制御部１５は、表示部４０の表示制御を行う。例えば、表示制御部１５は、認証部１４による認証が非純正品の場合、装着されているインクカートリッジ１００Ｋが純正品ではなく、不適切なものである可能性がある旨の警告メッセージを表示部４０に表示させる。
【００２１】
記憶部２０は、例えばメモリであり、印刷装置１が使用される地域を示す仕向け情報と、第２パスワードを生成するためのプログラムである第１アルゴリズムとを記憶している。
【００２２】
４つの撮像通信モジュール３０は、無線通信部３１と、撮像部３２Ｋ，３２Ｃ，３２Ｍ，３２Ｙとを有する。
【００２３】
無線通信部３１は、非接触ＩＣ１２１との間で無線通信を確立し、非接触ＩＣ１２１から種々の情報を読み込み、読み込んだ情報を印刷装置１の制御部１０に供給する。なお、無線通信部３１と非接触ＩＣ１２１との間で無線通信を行う際、送信側は乱数を付加して送信し、受信側は付加された乱数を削除することにより情報を取り出す。これにより、通信する情報の傍受を防止することができる。
【００２４】
撮像部３２Ｋ，３２Ｃ，３２Ｍ，３２Ｙのそれぞれは、印刷装置１に装着された状態のインクカートリッジ１００Ｋ，１００Ｃ，１００Ｍ，１００Ｙの表示部１２３に対向するように配置されており、表示部１２３の表示画像（例えば、図３Ａに示す２次元コード画像である表示画像ＩＭ１）を撮像することにより画像情報を取得する。撮像部３２Ｋ，３２Ｃ，３２Ｍ，３２Ｙは、例えばＣＭＯＳカメラである。
【００２５】
なお、撮像部３２Ｋ，３２Ｃ，３２Ｍ，３２Ｙのそれぞれは、同一の構成を有する。また、撮像部３２Ｋ，３２Ｃ，３２Ｍ，３２Ｙは、適宜、撮像部３２と記す。
【００２６】
表示部４０は、上述のように、表示制御部１５による表示制御が行われ、例えば、認証部１４による認証結果が非純正品の場合、装着されているインクカートリッジ１００Ｋが純正品ではなく、不適切なものである可能性がある旨の警告メッセージを表示する。
【００２７】
インターフェース部５０は、ユーザ端末などの他の装置との間で各種情報の授受を行う。
【００２８】
インクカートリッジ１００Ｋは、インクボトル１１０と、制御モジュール１２０とを有する。
【００２９】
制御モジュール１２０は、ＲＦタグとして機能し、非接触ＩＣ１２１と、マイコン１２２と、表示部１２３と、環境センサ１２４と、バッテリ１２５とを有する。
【００３０】
非接触ＩＣ１２１は、メモリ１２１ａと処理部１２１ｂとを有する。
メモリ１２１ａは、インクカートリッジ１００Ｋを一意に特定するＩＤと、インクボトル１１０に貯留されたインクの属性データと、ＩＤに基づいて生成された第２パスワード（第２の照合情報の一例）と、表示部１２３に表示される表示画像の情報に基づいて生成された画像パスワード（第４の照合情報の一例）とが記憶される。
【００３１】
なお、メモリ１２１ａには、インクカートリッジ１００Ｋが使用される地域を示す仕向け情報が記憶されてもよいし、表示部１２３に表示される表示画像の画像情報が記憶されていてもよい。インクの属性データには、インク色情報、インク溶媒種類情報、インク残量情報が含まれているとよい。
【００３２】
処理部１２１ｂは、演算処理装置として機能するプロセッサ（例えばＣＰＵ）を有する。処理部１２１ｂは、印刷装置１におけるインクの吐出量の情報を取得し、この吐出量に基づいて、インクカートリッジ１００Ｋのインクボトル１１０内のインク残量を算出し、インク残量情報として、メモリ１２１ａに記憶させる。
【００３３】
マイコン１２２は、演算処理装置として機能するプロセッサ（例えばＣＰＵ）と、印刷装置１の無線通信部３１又はインターフェース部５０との間で無線通信を行う無線通信部などを有する。なお、マイコン１２２は、無線通信部が無線通信を行う際に用いられる上述の乱数の付加や削除を行うとよい。また、制御モジュール１２０にマイコン１２２が配置されているため、上述の処理部１２１ｂが省略され、この処理部１２１ｂと同様の機能をマイコン１２２が行ってもよい。マイコン１２２は、印刷装置１によるインクカートリッジ１００Ｋの認証が行われるときに認証用画像を表示部１２３に表示させる表示制御部の一例として機能する。
【００３４】
表示部１２３は、例えば電子ペーパーである。表示部１２３は、電力を消費せずに表示画像を維持することができるため電子ペーパーであることが望ましいが、電力を確保することができれば、液晶ディスプレイなどの他の表示部であってもよい。
【００３５】
環境センサ１２４は、温度、湿度などのインクカートリッジ１００Ｋの周囲の環境情報を取得する。この環境情報は、マイコン１２２によって印刷装置１に送られるとよい。
【００３６】
バッテリ１２５は、非接触ＩＣ１２０が消費する電力を例えば無線で供給する給電装置の一例であるが、非接触ＩＣ１２１が無線通信部３１との無線通信により得られる電力が、制御モジュール１２０により消費される電力として用いられてもよい。
【００３７】
図２は、インクカートリッジ１００Ｋを示す斜視図である。
図３Ａ及び図３Ｂは、制御モジュール１２０を示す正面図及び右側面図である。
【００３８】
図２に示すように、制御モジュール１２０は、インクカートリッジ１００Ｋの外部に露出している。
【００３９】
図３Ａに示す非接触ＩＣ１２１のアンテナは、例えば、制御モジュール１２０の基板１２６内に埋め込まれた不可視部である。
【００４０】
表示部１２３は、制御モジュール１２０の正面に配置されている。表示部１２３が表示する表示画像ＩＭ１は、認証用画像の一例であり、例えば二次元コードである。なお、認証用画像としては、商標、ロゴ、任意の文字列などであってもよく、特に制限されない。また、認証用画像は、インクカートリッジ１００Ｋの状況（例えば残量）、印刷装置１又はインクカートリッジ１００Ｋの仕向け情報などに基づいて、異なる画像となるようにマイコン１２２によって表示制御されてもよい。
【００４１】
図３Ｂに示すように、制御モジュール１２０の背面には、非接触ＩＣ１２１、マイコン１２２等が基板１２６に実装されている。
【００４２】
図２に示すインクカートリッジ１００Ｋは、例えば直方体形状を呈し、インクジェット印刷装置に装着される。また、消耗品としては、図４に示すように、例えば円筒形状を呈し、孔版印刷装置に装着されるインクカートリッジ２００であってもよい。図５（図４のインクカートリッジ２００をＶ方向から見た図）に示すように、制御モジュール１２０は、インクカートリッジ２００の一端に奥まって配置される。
【００４３】
なお、消耗品は、インクカートリッジ１００，２００に限られず、印刷装置１に装着されるものであれば、例えば、トナーカートリッジ、孔版原紙、感光体ドラムなどであってもよい。
【００４４】
図６Ａ〜図６Ｄは、表示部１２３の表示画像の例を示す図である。
図６Ａに示す表示画像ＩＭ２は、２次元コード画像ＩＭ２ａと、この２次元コード画像ＩＭ２ａの非読取領域に位置する「★ＡＢＣ★」の商標画像ＩＭ２ｂとを含む。
【００４５】
表示画像ＩＭ２は、ユーザ向け画像の一例であり、例えば、ユーザがスマートフォンなどのユーザ端末で２次元コード画像ＩＭ２ａを読み取ることで、電話番号等の問い合わせ連絡先や、製品情報のＵＲＬなどを取得するために用いられる。なお、ユーザ向け画像は、問い合わせ連絡先を２次元コード画像ＩＭ２ａではなく、文字等で表示したものであってもよい。
【００４６】
図６Ｂに示す表示画像ＩＭ３は、ユーザ向け画像の他の一例であり、型番画像ＩＭ３ａと、「★ＡＢＣ★」の商標画像ＩＭ３ｂとを含む。
【００４７】
図６Ｃに示す表示画像ＩＭ４は、ユーザ向け画像の他の一例であり、型番画像ＩＭ４ａと、残量画像ＩＭ４ｂとを含む。この残量画像ＩＭ４ｂは、インクカートリッジ１００Ｋの状況表示画像の一例である。インクカートリッジ１００Ｋの状況表示画像は、例えばメモリ１２１ａに記憶されているインクカートリッジ１００Ｋの状況に関する情報（残量情報など）に基づき、マイコン１２２によって表示部１２３に表示されるとよい。
【００４８】
図６Ｄに示す表示画像ＩＭ５は、「問題が発生しました  担当窓口まで一報下さい」の報知画像であり、例えば、認証結果が非純正品の場合に表示される。表示画像ＩＭ５もインクカートリッジ１００Ｋの状況表示画像の一例である。なお、認証結果が非純正の場合には、上記の報知画像とともに、図６Ａに示す表示画像ＩＭ２と同様に電話番号等の問い合わせ連絡先などが表示されるとよい。
【００４９】
上述のように、表示部１２３の表示制御を行うマイコン１２２は、インクカートリッジ１００Ｋの上述の認証が行われるときに認証用画像である例えば表示画像ＩＭ１を表示部１２３に表示させ、認証が行われないときに表示画像ＩＭ１を表示部１２３に表示させないようにするとよい。例えば、マイコン１２２は、認証が行われないときには、表示部１２３の表示をＯＦＦ（表示画像を無し）にしてもよいし、或いは、上述のユーザ向け画像である表示画像ＩＭ２〜ＩＭ５などを表示させてもよい。このように、マイコン１２２は、認証用画像である例えば表示画像ＩＭ１と、ユーザ向け画像である例えば表示画像ＩＭ２〜ＩＭ５とを含む複数の画像のうちの少なくとも１つの画像を選択的に表示部１２３に表示させるとよい。なお、認証が行われているときとは、例えば、非接触ＩＣ１２１と無線通信部３１との無線通信が開始したとき以降、認証結果が出るまでの間における、撮像部３２に撮像されるタイミングを含む少なくとも一部の時間であればよい。なお、認証後しばらく認証用画像（表示画像ＩＭ１）が表示部１２３に表示されていてもよい。
【００５０】
ここで、印刷装置１によるインクカートリッジ１００Ｋの認証処理の一例について説明する。
【００５１】
印刷装置１は、電源オン、省電力モードからの復帰、又は図示しないセンサの検出結果に基づいてインクカートリッジ１００Ｋが装着されたことを検出すると、印刷装置１の無線通信部３１が非接触ＩＣ１２１との間で無線通信を確立し、非接触ＩＣ１２１のメモリ１２１ａからＩＤと第２パスワードとを取得する。
【００５２】
次に、パスワード生成部１３は、無線通信部３１により読み込まれたＩＤに基づいて、記憶部２０に記憶された第１アルゴリズムを用いて第１パスワードを生成する。
【００５３】
第１照合部１１は、パスワード生成部１３によって生成された第１パスワードと、無線通信部３１により読み込まれた第２パスワードとが一致するか否かの照合を行う。
【００５４】
第１パスワードと第２パスワードとが一致しない場合、インクカートリッジ１００Ｋが純正品ではないことになるので、認証部１４は、装着されているインクカートリッジ１００Ｋが純正品ではなく、不適切なものである可能性がある旨の警告メッセージを表示部４０に表示させる。
【００５５】
第１パスワードと第２パスワードとが一致する場合、無線通信部３１は、非接触ＩＣ１２１のメモリ１２１ａから画像パスワードを読み込む。また、撮像部３２は、表示部１２３を撮像することにより、認証用画像の一例である図３に示す表示画像ＩＭ１の画像情報を取得する。
【００５６】
パスワード生成部１３は、表示部１２３の表示画像ＩＭ１の画像情報に基づいて画像パスワードを生成する。
【００５７】
そして、画像照合部１２は、パスワード生成部１３によって生成された画像パスワード（第３の照合情報の一例）と、無線通信部３１が非接触ＩＣ１２１のメモリ１２１ａから読み込んだ画像パスワード（第４の照合情報の一例）とが一致するか否かを照合する。
【００５８】
ここで、インクカートリッジ１００Ｋのメモリ１２１ａに記憶される画像パスワードは、マイコン１２２が表示部１２３に表示させる認証用画像に基づいて予め生成されて記憶されている。
【００５９】
２つの画像パスワードが一致しない場合、インクカートリッジ１００Ｋは純正品ではないことになるので、認証部１４は、装着されているインクカートリッジ１００Ｋが純正品ではなく、不適切なものである可能性がある旨の警告メッセージを表示部４０に表示させる。
【００６０】
一方、２つの画像パスワードが一致する場合、認証部１４は、装着されているインクカートリッジ１００Ｋを純正品と認証する。なお、２つの画像パスワードが一致するか否かの照合は、第１パスワードと第２パスワードとが一致するか否かの照合よりも先に行ってもよい。
【００６１】
以上のように、印刷装置１では、第１照合部１１と画像照合部１２との照合結果がいずれも一致すると判定された場合に、認証部１４が、インクカートリッジ１００Ｋを純正品と認証する。なお、上述の認証はあくまで一例であり、表示部１２３に表示された認証用画像に基づき、認証が行われるものであれば、認証方法は特に制限されない。
【００６２】
図７は、実施の形態における課金情報用画像を用いたアクティベーションを説明するための説明図である。
【００６３】
図７に示すように、上述の印刷装置１は、ネットワークＮを介してユーザ端末３００及びサーバ装置４００に接続されている。
【００６４】
ユーザ端末３００は、制御部３１０と、記憶部３２０と、撮像部３３０と、インターフェース部３４０とを有する。ユーザ端末３００は、例えば、タブレット端末、スマートフォンなどの携帯型端末である。
【００６５】
サーバ装置４００は、制御部４１０と、記憶部４２０と、インターフェース部４３０とを有する。
【００６６】
制御部３１０，４１０は、演算処理装置として機能するプロセッサ（例えばＣＰＵ）を有する。
【００６７】
ユーザ端末３００の記憶部３２０は、例えばメモリである。サーバ装置４００の記憶部４２０は、例えばハードディスク装置などを有する。
【００６８】
ユーザ端末３００の撮像部３３０は、表示部１２３の表示画像（例えば、図３Ｂに示す２次元コード画像ＩＭ２ａを含む表示画像ＩＭ２）を撮像することにより画像情報を取得する例えばカメラである。
【００６９】
インターフェース部３４０，４３０は、他の装置との間で各種情報の授受を行う。
図６Ａに示す表示画像ＩＭ２などのユーザ向け画像は、インクカートリッジ１００Ｋの課金情報用画像の一例として機能する２次元コード画像ＩＭ２ａを含むとよい。なお、課金情報用画像としては、商標、ロゴ、任意の文字列などであってもよく、特に制限されない。また、課金情報用画像は、インクカートリッジ１００Ｋの状況（例えば残量）、印刷装置１又はインクカートリッジ１００Ｋの仕向け情報などに基づいて、異なる画像（料金に対応する画像）となるようにマイコン１２２によって表示制御されてもよい。
【００７０】
ユーザは、ユーザ端末３００の撮像部３３０によって２次元コード画像ＩＭ２ａを読み取ることで、例えば、課金を行うための課金用ページのＵＲＬを取得することができる。ユーザがインクカートリッジ１００Ｋの料金を支払うと、サーバ装置４００が、インクカートリッジ１００Ｋのマイコン１２２の無線通信部などにアクティベーションコード（支払い完了情報）を送るか、或いは、印刷装置１がインクカートリッジ１００Ｋの認証時にインクカートリッジ１００ＫのＩＤに基づいてサーバ装置４００に支払いが完了しているかの問い合わせを行うとよい。
【００７１】
これにより、インクカートリッジ１００Ｋの支払いが完了している場合のみにインクカートリッジ１００Ｋの使用が許可されるようにすることができる。なお、料金の支払いが完了した後、或いは、インクカートリッジ１００Ｋの認証後には、処理部１２２は、課金情報用画像を表示部１２３に表示しないようにするとよい。
【００７２】
サーバ装置４００は、インクカートリッジ１００Ｋごとに、永続使用許可のほか、使用量に応じた課金（例えば、使用量ごとの課金、所定金額ごとの課金）、使用時間や使用期間による課金、地域毎（例えば使用地域毎）の価格設定などを行うことができるとよい。なお、印刷装置１は、支払いが完了しているインクカートリッジ１００Ｋが装着されたことを検出すると、決済情報を印刷するとよい。
【００７３】
以上説明した本実施の形態では、消耗品の一例であるインクカートリッジ１００は、印刷装置１に装着されるインクカートリッジ１００であって、表示部１２３と、この表示部１２３の表示制御を行う表示制御部の一例であるマイコン１２２とを備える。このマイコン１２２は、印刷装置１によるインクカートリッジ１００の認証が行われるときに認証用画像の一例である表示画像ＩＭ１を表示部１２３に表示させる。
【００７４】
これにより、認証用画像（表示画像ＩＭ１）がインクカートリッジ１００に直接的に付されている態様と比較して、認証用画像の模倣が困難となる。よって、本実施の形態によれば、純正品の識別精度を高めることができる。これにより、インクカートリッジ１００が非純正品である場合に、例えば、ユーザへの報知を行うことができる。したがって、不適切な消耗品が印刷装置１に装着されることによって、印刷画像品質の低下や印刷装置１の故障が引き起こされることを抑制することができる。
【００７５】
また、本実施の形態では、表示部１２３は、電子ペーパーである。これにより、表示部１２３は、電力を消費せずに表示状態を維持することができる。したがって、表示画像ＩＭ１〜ＩＭ５の表示状態を維持するための電力が不要となり、表示状態を維持するための電力が必要な液晶ディスプレイなどの表示部と比較して、大型の電池の設置、電力コストの発生などを回避することができる。
【００７６】
また、本実施の形態では、マイコン１２２は、認証用画像の一例である表示画像ＩＭ１と、ユーザ向け画像の一例である表示画像ＩＭ２〜ＩＭ５とを含む複数の画像のうちの少なくとも１つの画像を選択的に表示部１２３に表示させる。これにより、ユーザ向け画像が、例えば、型番画像ＩＭ３ａ，ＩＭ４ａ又は商標画像ＩＭ２ｂ，ＩＭ３ｂを含む表示画像ＩＭ２，ＩＭ３，ＩＭ４などである場合には、ユーザは、表示部１２３を見て、純正のインクカートリッジ１００であることを識別することができる。また、ユーザ向け画像が、例えば、状況表示画像の一例である残量画像ＩＭ４ｂを含む表示画像ＩＭ４や、状況表示画像の他の一例の報知画像である表示画像ＩＭ５などである場合には、ユーザは、表示部１２３を見て、インクカートリッジ１００の状況を把握することができる。また、ユーザ向け画像が、例えば、２次元コード画像ＩＭ２ａを含む表示画像ＩＭ２である場合には、ユーザは、ユーザ端末３００の撮像部３３０などによって２次元コード画像ＩＭ２ａを撮像することで、各種の情報を取得することができる。
【００７７】
また、本実施の形態では、上記のユーザ向け画像は、インクカートリッジ１００の課金情報用画像の一例である表示画像ＩＭ２を含む。ところで、印刷作業中にインクカートリッジ１００の残量が無くなってしまい予備がない場合、新たなインクカートリッジ１００の発注をしてインクカートリッジ１００が届くまでの間、印刷作業が中断してしまう。また、インクカートリッジ１００は、高価であることが多く、大量に予備を購入することはユーザへの負担となる。一方、本実施の形態では、例えば、ユーザがユーザ端末３００の撮像部３３０などによって課金情報用画像の一例である表示画像ＩＭ２を撮像することで、課金情報を得ることができる。そのため、インクカートリッジ１００の販売者は、支払いが完了するまでは使用不能な状態の十分な数のインクカートリッジ１００をユーザにまずは無料で渡すことができる。したがって、ユーザは、印刷作業の中断を回避することができ、販売者は、インクカートリッジ１００の個別発送を回避したりインクカートリッジ１００の使用状況を把握したりすることができる。更には、料金の支払いが完了した後、或いは、インクカートリッジ１００の認証後に、マイコン１２２が、課金情報用画像を表示部１２３に表示しないようにすることで、料金の支払いが完了したインクカートリッジ１００の課金情報用画像の模倣を防止することができる。
【００７８】
なお、本発明は、上述の実施の形態そのままに限定されるものではなく、実施段階でその要旨を逸脱しない範囲で構成要素を変形して具体化することができる。また、上述の実施の形態に開示されている複数の構成要素の適宜な組み合わせにより、種々の発明を形成することができる。例えば、実施の形態に示される全構成要素を適宜組み合わせても良い。このような、発明の趣旨を逸脱しない範囲内において種々の変形や応用が可能であることはもちろんである。以下に、本願の出願当初の特許請求の範囲に記載された発明を付記する。
【００７９】
［付記１］
印刷装置に装着される消耗品であって、
表示部と、
前記表示部の表示制御を行う表示制御部とを備え、
前記表示制御部は、前記印刷装置による前記消耗品の認証が行われるときに認証用画像を前記表示部に表示させる
ことを特徴とする消耗品。
【００８０】
［付記２］
前記表示部は、電子ペーパーである
ことを特徴とする付記１記載の消耗品。
【００８１】
［付記３］
前記表示制御部は、前記認証用画像とユーザ向け画像とを含む複数の画像のうちの少なくとも１つの画像を選択的に前記表示部に表示させる
ことを特徴とする付記１又は２記載の消耗品。
【００８２】
［付記４］
前記ユーザ向け画像は、前記消耗品の課金情報用画像を含む
ことを特徴とする付記３記載の消耗品。
【符号の説明】
【００８３】
１  印刷装置
１０  制御部
１１  第１照合部
１２  画像照合部
１３  パスワード生成部
１４  認証部
１５  表示制御部
２０  記憶部
３０  撮像通信モジュール
３１  無線通信部
３２（３２Ｋ，３２Ｃ，３２Ｍ，３２Ｙ）  撮像部
４０  表示部
５０  インターフェース部
１００（１００Ｋ，１００Ｃ，１００Ｍ，１００Ｙ）  インクカートリッジ
１１０  インクボトル
１２０  制御モジュール
１２１  非接触ＩＣ
１２１ａ  メモリ
１２１ｂ  処理部
１２２  マイコン
１２３  表示部
１２４  環境センサ
１２５  バッテリ
１２６  基板
２００  インクカートリッジ
３００  ユーザ端末
３１０  制御部
３２０  記憶部
３３０  撮像部
３４０  インターフェース部
４００  サーバ装置
４１０  制御部
４２０  記憶部
４３０  インターフェース部
ＩＭ１  表示画像（２次元コード画像）
ＩＭ２  表示画像
ＩＭ２ａ  ２次元コード画像
ＩＭ２ｂ  商標画像
ＩＭ３  表示画像
ＩＭ３ａ  型番画像
ＩＭ３ｂ  商標画像
ＩＭ４  表示画像
ＩＭ４ａ  型番画像
ＩＭ４ｂ  残量画像
ＩＭ５  表示画像（報知画像）
Ｎ  ネットワーク
【図１】
2020166561.tif 000003
【図２】
2020166561.tif 000004
【図３Ａ】
2020166561.tif 000005
【図３Ｂ】
2020166561.tif 000006
【図４】
2020166561.tif 000007
【図５】
2020166561.tif 000008
【図６Ａ】
2020166561.tif 000009
【図６Ｂ】
2020166561.tif 000010
【図６Ｃ】
2020166561.tif 000011
【図６Ｄ】
2020166561.tif 000012
【図７】
2020166561.tif 000013